(57)【特許請求の範囲】
【請求項１】
送信ポイントおよびユーザ機器を含む通信システムにおいて、
前記送信ポイントから、干渉を測定するリソースであって、他のユーザ機器に対する信号に関連付けられた前記リソースとして、サブフレームのサブセットを示すメッセージを受信する受信部と、
前記メッセージに基づいて、前記信号を用いてＭＵ−ＣＱＩを計算する処理部と、
前記ＭＵ−ＣＱＩを前記送信ポイントに送信する送信部と、
を有する、ユーザ機器。
【請求項２】
前記メッセージは、少なくとも１つのポートが、干渉として測定する前記信号に関連付けられていることを示す情報を含む、
請求項１に記載のユーザ機器。
【請求項３】
前記メッセージは、干渉として測定する前記信号が割り当てられる前記リソースを示す、
請求項１又は２に記載のユーザ機器。
【請求項４】
前記通信システムは、サービング送信ポイントと少なくとも１つの干渉する送信ポイントとを含み、
前記処理部は、前記少なくとも１つの干渉する送信ポイントから、前記リソースを用いて送信された前記信号を用いて、前記ＭＵ−ＣＱＩを計算する、
請求項１から３のいずれかに記載のユーザ機器。
【請求項５】
前記メッセージは、前記リソースをビットマップ方式で示す、
請求項１から４のいずれかに記載のユーザ機器。
【請求項６】
前記メッセージは、特定のパターンに従って割り当てられた前記リソースを示す、
請求項１から５のいずれかに記載のユーザ機器。
【請求項７】
送信ポイントおよびユーザ機器を含む通信システムにおいて、前記ユーザ機器からＣＱＩを送信する方法であって、
前記送信ポイントから、干渉を測定するリソースであって、他のユーザ機器に対する信号に関連付けられた前記リソースとして、サブフレームのサブセットを示すメッセージを受信する工程と、
前記メッセージに基づいて、前記信号を用いてＭＵ−ＣＱＩを計算する工程と、
前記ＭＵ−ＣＱＩを前記送信ポイントに送信する工程と、
を有する、方法。
【発明の詳細な説明】
【技術分野】
【０００１】
本開示は、ＭＩＭＯ／ビームフォーミング、マルチユーザ通信、および情報のフィードバックの技術分野に関する。
【背景技術】
【０００２】
ＭＵ−ＭＩＭＯ（Multiple User-Multiple Input Multiple Output）は、現在の無線通信においてピークデータレートおよびスペクトル効率を高めるための重要な手段である。一般的には、ＳＵ−ＭＩＭＯ（Single User-MIMO）を用いてＭＵ−ＭＩＭＯ動作をサポートすることが可能である。
【０００３】
図１は、送信ポイントが、ＭＵ−ＭＩＭＯ動作を目的としてＳＵ−ＭＩＭＯのＣＱＩ（チャネル品質インジケータ）およびＰＭＩ（プリコーディング行列インデックス）を更新するシナリオを示している。
【０００４】
図１に示すように、２基のユーザ機器（ＵＥ）は、２組のＳＵ  ＰＭＩ／ＣＱＩを報告することができる。例えば、ＵＥ１はＳＵ  ＰＭＩ１／ＣＱＩ１を送信ポイントに報告し、ＵＥ２はＳＵ  ＰＭＩ２／ＣＱＩ２を送信ポイントに報告する。図１に示すように、送信ポイントは、これらのＳＵ  ＰＭＩおよびＣＱＩを受信した後、ＳＵ  ＰＭＩ１／ＣＱＩ１およびＳＵ  ＰＭＩ２／ＣＱＩ２を内部で更新し、ＭＵ送信に適するＰＭＩおよびＣＱＩを生成し、ＵＥ１およびＵＥ２に、それぞれＭＵ  ＰＭＩ１／ＣＱＩ１およびＭＵ  ＰＭＩ２／ＣＱＩ２を使用してＰＤＳＣＨ（物理下りリンク共有チャネル）によってデータを送信する。
【０００５】
しかしながら、送信ポイントにおけるこのような更新は正確ではない。例えば、各ＵＥにそれぞれ関連付けられるＣＱＩは、ＳＵ（シングルユーザ）送信と比較してＭＵ（マルチユーザ）送信の場合には劣化することがある。この劣化は、ユーザ機器の実装によって異なる。例えば、ユーザ機器によっては、高度な干渉除去能力を有することがあり、ＣＱＩの劣化をわずかとすることができる。能力の低い機能を有する別のユーザ機器の場合、ＣＱＩが大きく劣化することがある。しかしながら、送信ポイントにおける内部更新では、この差を反映させることができない。なぜなら、一般的に送信ポイントはユーザ機器の実装について認識していないためである。したがって、送信ポイントにおける内部更新は正確ではない。
【０００６】
図２は、対象のユーザ機器がＢＣＩ（ベストコンパニオンプリコーディング行列インデックス：Best Companion Precoding Matrix Index）およびＭＵ−ＣＱＩを送信ポイントに報告するシナリオを示す。
【０００７】
ＭＵ送信におけるＣＱＩの精度を高める目的で、現在、ＬＴＥ−Ａの標準化作業においてＢＣＩおよびＭＵ−ＣＱＩが検討されている。対象のユーザ機器は、ＢＣＩを送信ポイントに報告するために、まず、ペアである可能性のあるユーザ機器（potentially paired user equipment）が対象のユーザ機器への干渉の小さい特定のＰＭＩ（すなわちＢＣＩ）を採用するものと想定する。次に、対象のユーザ機器は、想定したＢＣＩに従ってＣＱＩ（ＭＵ−ＣＱＩ）を計算する。最後に、想定したＢＣＩおよび計算したＭＵ−ＣＱＩは、ＳＵ  ＰＭＩおよびＣＱＩとともに送信ポイントに報告される。
【０００８】
想定したＢＣＩおよび計算したＭＵ−ＣＱＩは送信ポイントにおけるＭＵ動作に役立つものの、依然として送信ポイントにおいてＭＵ−ＣＱＩを更新する必要があり、更新されない場合、ペアであるユーザ機器のスループット性能が大幅に劣化する。
【０００９】
図３（ａ）および図３（ｂ）は、実際の送信と想定した送信とが一致しないシナリオを示している。図３（ａ）および図３（ｂ）に示すように、ペアである可能性のあるユーザ機器（ＵＥ２）のＢＣＩとして、対象のユーザ機器（ＵＥ１）が想定したＢＣＩ１（図３（ａ））と、ペアであるユーザ機器（ＵＥ２）において使用される実際のＰＭＩ２（図３（ｂ））とが一致していない。
【発明の概要】
【発明が解決しようとする課題】
【００１０】
本開示の目的は、上記の問題に対処することである。
【課題を解決するための手段】
【００１１】
本開示の一態様によると、送信ポイントおよび複数のユーザ機器を含む通信システムにおいて、チャネル品質インジケータ（ＭＵ−ＣＱＩ）を送信ポイントにフィードバックする方法であって、送信ポイントが、複数のユーザ機器のうちの対象のユーザ機器にメッセージを送るステップと、対象のユーザ機器が、メッセージに基づいてＭＵ−ＣＱＩを計算し、そのＭＵ−ＣＱＩを送信ポイントにフィードバックするステップと、を有する方法、が提供される。
【００１２】
本開示の別の態様によると、送信ポイントおよび複数のユーザ機器を含む通信システムにおいて、チャネル品質インジケータ（ＭＵ−ＣＱＩ）を送信ポイントにフィードバックするユーザ機器であって、送信ポイントからのメッセージを受信する受信部と、メッセージに基づいてＭＵ−ＣＱＩを計算する処理部と、そのＭＵ−ＣＱＩを送信ポイントに報告する送信部と、を備えるユーザ機器、が提供される。
【００１３】
本開示のさらなる態様によると、通信システムにおいてユーザ機器からのチャネル品質インジケータ（ＭＵ−ＣＱＩ）を受信する送信ポイント装置であって、対象のユーザ機器にメッセージを送信する送信部と、対象のユーザ機器からのＭＵ−ＣＱＩを受信する受信部であって、ＭＵ−ＣＱＩがメッセージに基づいて計算される、受信部と、を備える送信ポイント装置、が提供される。
【００１４】
本開示によると、動的なＭＵ動作が可能であり、わずかな下りリンクのオーバーヘッドによってリンクアダプテーション性能が向上する。さらに、精度はコードブックのサイズによって制限されない。
【００１５】
以下では、本開示の実施形態について、添付の図面を参照しながら詳しく説明する。本開示の上記および他の態様および利点は、これらの説明からさらに明らかになり、容易に理解されるであろう。
【図面の簡単な説明】
【００１６】
【図１】送信ポイントが、ＭＵ−ＭＩＭＯ動作を目的としてＳＵ−ＭＩＭＯのＣＱＩおよびＰＭＩを更新するシナリオを示す図
【図２】対象のユーザ機器がＢＣＩおよびＭＵ−ＣＱＩを送信ポイントに報告するシナリオを示す図
【図３】実際の送信と想定した送信とが一致しないシナリオを示す図
【図４】本開示を適用している通信システムであって、送信ポイントにおける実際の送信と想定した送信との不一致を解決するための提案手順を提供する通信システムを示す図
【図５】本開示に係る送信ポイントのブロック図
【図６】本開示に係るユーザ機器のブロック図
【図７】本開示に係る複数の送信ポイントを含む通信システムを示す図
【図８】本開示に係る通信システムにおいてＭＵ−ＣＱＩを送信ポイントにフィードバックする方法を示すフロー図
【発明を実施するための形態】
【００１７】
以下では、本開示のいくつかの特定の実施形態について、添付の図面を参照しながら詳しく説明する。関連する従来技術を詳しく説明することで、本開示の要点の理解が妨げられる場合、本明細書ではその従来技術の詳しい説明を省いた。それぞれの実施形態において、同じ機能を実行する要素または構成部は、同じ参照数字を使用して表してある。
【００１８】
（第１の実施形態）
図４は、本開示を適用している通信システムを示しており、当該通信システムは、送信ポイントにおける実際の送信と想定した送信との不一致を解決するための提案手順を提供する。
【００１９】
図４に示したように、本開示による通信システム４００は、複数のユーザ機器４０１1，４０１2，…，および４０１nと、少なくとも１つの送信ポイント４０２とを含む。図４には、一例として、２基のユーザ機器４０１1，４０１2のみを示してあり、このうちユーザ機器４０１1は対象のユーザ機器（ＵＥ１）であると想定し、ユーザ機器４０１2はペアである可能性のあるユーザ機器（ＵＥ２）であると想定する。
【００２０】
本開示による通信システム４００において、送信ポイント４０２は、最初に、ユーザ機器４０１1にメッセージを送信する（ステップ１）。ユーザ機器４０１1は、このメッセージに基づいて関連するＭＵ−ＣＱＩを計算し、そのＭＵ−ＣＱＩを送信ポイント４０２にフィードバックする（ステップ２）。ここで、メッセージは、ユーザ機器４０１1とペアである可能性のあるユーザ機器４０１2によって使用されるＢＣＩを含むことができる。
【００２１】
上記例によると、ペアであるユーザ機器４０１2に関連付けられる実際のＰＭＩ（対象のユーザ機器４０１1の観点ではＢＣＩ）は、送信ポイント４０２から対象のユーザ機器４０１1にシグナリングされる。対象のユーザ機器４０１1は、送信ポイント４０２から通知されたＢＣＩに基づいてＭＵ−ＣＱＩを計算する。したがって、ＭＵ動作を目的として送信ポイント側においてＭＵ−ＣＱＩを更新しないことが可能である。
【００２２】
なお、ＭＵ−ＣＱＩの計算に実際に影響する要素はＢＣＩではなく、下りリンクチャネル行列を乗じたＢＣＩである。一般的には、下りリンクチャネル行列を乗じたＢＣＩを対象のユーザ機器に明示的にシグナリングすることは可能ではない。なぜなら、送信ポイントは下りリンクチャネル行列を認識していないためである。
【００２３】
本開示の第１の実施形態の別の例として、対象のユーザ機器４０１1は、下りリンクチャネルを測定して、下りリンクチャネル行列を得ることができ、測定された下りリンクチャネル行列に送信ポイント４０２から送られたＢＣＩを乗じて、対象のユーザ機器への干渉を得る。次に、対象のユーザ機器４０１1は、その干渉に基づいてＭＵ−ＣＱＩを計算する。具体的には、対象のユーザ機器４０１1は、次の等式に基づいてＭＵ−ＣＱＩを計算することができる。
ＳＮＲ＝Ｓ／（Ｉ＋Ｎ）
【００２４】
式中、Ｓは信号を表し、Ｎは雑音を表し、Ｉは干渉を表す。Ｉは、ＨＷの情報に基づいて計算することができ、Ｈは下りリンクチャネル行列を表し、Ｗ→はＢＣＩを表す。
【００２５】
本開示の第１の実施形態では、送信ポイント側においてＣＱＩを更新する必要がなく、ＭＵ−ＭＩＭＯのためのＣＱＩは正確である。
【００２６】
（第２の実施形態）
図５は、本開示による送信ポイントのブロック図を示す。
【００２７】
図５に示すように、本開示による送信ポイント５００（図４に示した送信ポイント４０２と想定することができる）は、互いに接続されている受信部５０２および送信部５０６を含む。
【００２８】
さらに、本開示による送信ポイント５００は、関連するプログラムを実行してさまざまなデータを処理し、送信ポイント５００の各装置の動作を制御する中央処理装置（ＣＰＵ）５１０と、ＣＰＵ５１０がさまざまなプロセスおよび制御を実行するうえで要求される様々なプログラムを格納する読み出し専用メモリ（ＲＯＭ）５１３と、プロセスおよび制御の手順の中でＣＰＵ５１０によって一時的に生成される中間データを格納するランダムアクセスメモリ（ＲＡＭ）５１５と、様々なデータを格納する記憶装置５１６と、を含むことができる。上記の受信部５０２、送信部５０６、ＣＰＵ５１０、ＲＯＭ５１３、ＲＡＭ５１５、記憶装置５１６などは、データ／コマンドバス５２０を介して接続することができ、互いに信号を伝送することができる。
【００２９】
上記各構成部は、本開示の範囲を制限するものではない。本開示の一実施形態によると、受信部５０２および送信部５０６のいずれかの機能を、上記ＣＰＵ５１０、ＲＯＭ５１３、ＲＡＭ５１５、記憶装置５１６などとの組合せにおいて、機能的なソフトウェアによって実施することもできる。さらに、受信部５０２および送信部５０６の機能を、１つの構成部に組み合わせることによって実施することもできる。
【００３０】
本開示の第２の実施形態によると、送信部５０６は、対象のユーザ機器４０１1にメッセージを送信する。対象のユーザ機器４０１1は、そのメッセージに基づいてＭＵ−ＣＱＩを計算し、そのＭＵ−ＣＱＩを送信ポイント４０２にフィードバックする。送信ポイント４０２の受信部５０２は、対象のユーザ機器４０１1からのＭＵ−ＣＱＩを受信する。ここで、メッセージは、対象のユーザ機器４０１1とペアである可能性のあるユーザ機器４０１2によって使用されるＢＣＩを含むことができる。
【００３１】
上記例によると、ペアであるユーザ機器４０１2に関連付けられる実際のＰＭＩ（対象のユーザ機器４０１1の観点ではＢＣＩ）は、送信ポイント４０２から対象のユーザ機器４０１1にシグナリングされる。対象のユーザ機器４０１1は、送信ポイント４０２から通知されたＢＣＩに基づいてＭＵ−ＣＱＩを計算する。したがって、ＭＵ動作を目的として送信ポイント４０２においてＣＱＩを更新しないことが可能である。
【００３２】
本開示の第２の実施形態の別の例として、対象のユーザ機器４０１1は、下りリンクチャネルを測定して、下りリンクチャネル行列を得て、測定された下りリンクチャネル行列に送信ポイント４０２の送信部５０６から送られたＢＣＩを乗じて、対象のユーザ機器４０１1への干渉を得る。次に、対象のユーザ機器４０１1は、その干渉に基づいてＭＵ−ＣＱＩを計算する。具体的には、対象のユーザ機器４０１1は、次の等式に基づいてＭＵ−ＣＱＩを計算することができる。
ＳＮＲ＝Ｓ／（Ｉ＋Ｎ）
【００３３】
式中、Ｓは信号を表し、Ｎは雑音を表し、Ｉは干渉を表す。Ｉは、ＨＷの情報に基づいて計算することができ、Ｈは下りリンクチャネル行列を表し、Ｗ→はＢＣＩを表す。
【００３４】
本開示の第２の実施形態では、送信ポイント側においてＣＱＩを更新する必要がなく、ＭＵ−ＭＩＭＯのためのＣＱＩは正確である。
【００３５】
（第３の実施形態）
図６は、本開示によるユーザ機器のブロック図を示す。
【００３６】
図６に示すように、本開示によるユーザ機器６００（図４に示したユーザ機器４０１と想定することができる）は、互いに接続されている受信部６０２と、測定部６０３と、処理部６０４と、送信部６０６とを含む。
【００３７】
さらに、本開示によるユーザ機器６００は、関連するプログラムを実行してさまざまなデータを処理し、ユーザ機器６００の各装置の動作を制御する中央処理装置（ＣＰＵ）６１０と、ＣＰＵ６１０がさまざまなプロセスおよび制御を実行するうえで要求される様々なプログラムを格納する読み出し専用メモリ（ＲＯＭ）６１３と、プロセスおよび制御の手順の中でＣＰＵ６１０によって一時的に生成される中間データを格納するランダムアクセスメモリ（ＲＡＭ）６１５と、様々なデータを格納する記憶装置６１６とを、含むことができる。上記の受信部６０２、測定部６０３、処理部６０４、送信部６０６、ＣＰＵ６１０、ＲＯＭ６１３、ＲＡＭ６１５、記憶装置６１６などは、データ／コマンドバス６２０を介して接続することができ、互いに信号を伝送することができる。
【００３８】
上記各構成部は、本開示の範囲を制限するものではない。本開示の一実施形態によると、受信部６０２、測定部６０３、処理部６０４、および送信部６０６のいずれかの機能を、上記ＣＰＵ６１０、ＲＯＭ６１３、ＲＡＭ６１５、記憶装置６１６などとの組合せにおいて、機能的なソフトウェアによって実施することもできる。さらに、受信部６０２、測定部６０３、処理部６０４、および送信部６０６の機能を、１つの構成部に組み合わせることによって実施することもできる。
【００３９】
本開示の第３の実施形態によると、ユーザ機器４０１1の受信部６０２は、送信ポイント４０２から送信されるメッセージを受信する。ユーザ機器４０１1の処理部６０４は、このメッセージに基づいてＭＵ−ＣＱＩを計算する。送信部６０６は、ＭＵ−ＣＱＩを送信ポイント４０２にフィードバックする。ここで、メッセージは、ユーザ機器４０１1とのペアである可能性のあるユーザ機器４０１2によって使用されるＢＣＩを含むことができる。
【００４０】
上記例によると、ペアであるユーザ機器４０１2に関連付けられる実際のＰＭＩ（ユーザ機器４０１1の観点ではＢＣＩ）が、送信ポイント４０２からユーザ機器４０１1にシグナリングされる。ユーザ機器４０１1は、送信ポイント４０２から通知されたＢＣＩに基づいてＭＵ−ＣＱＩを計算する。したがって、ＭＵ動作を目的として送信ポイント側においてＣＱＩを更新しないことが可能である。
【００４１】
本開示の第３の実施形態の別の例として、ユーザ機器４０１1の測定部６０３は、下りリンクチャネルを測定して下りリンクチャネル行列を得る。処理部６０４は、測定された下りリンクチャネル行列に送信ポイント４０２の送信部５０６から送られたＢＣＩを乗じて、ユーザ機器４０１1への干渉を得る。次に、ユーザ機器４０１1の処理部６０４は、その干渉に基づいてＭＵ−ＣＱＩを計算する。具体的には、ユーザ機器４０１1の処理部６０４は、次の等式に基づいてＭＵ−ＣＱＩを計算することができる。
ＳＮＲ＝Ｓ／（Ｉ＋Ｎ）
【００４２】
式中、Ｓは信号を表し、Ｎは雑音を表し、Ｉは干渉を表す。Ｉは、ＨＷの情報に基づいて計算することができ、Ｈは下りリンクチャネル行列を表し、Ｗ→はＢＣＩを表す。
【００４３】
本開示の第３の実施形態では、送信ポイント側においてＣＱＩを更新する必要がなく、ＭＵ−ＭＩＭＯのためのＣＱＩは正確である。
【００４４】
（第４の実施形態）
上記第１〜第３の実施形態においては、ＢＣＩなどのメッセージが送信ポイント４０２から対象のユーザ機器４０１1に明示的にシグナリングされる場合について説明した。ＢＣＩを対象のユーザ機器に明示的にシグナリングするためのいくつかの単純な方法が存在する。例えば、コードブックベースのＢＣＩを、ＲＲＣ（無線リソース制御）またはＰＤＣＣＨ（物理下りリンク制御チャネル）のいずれかを通じてシグナリングする。しかしながら、ＲＲＣシグナリングは低速であり、動的なＭＵ−ＭＩＭＯ動作を実現することができない。一方で、ＰＤＣＣＨシグナリングでは、大きなシグナリングオーバーヘッドが生じる。ＲＲＣシグナリングおよびＰＤＣＣＨシグナリングのいずれの場合も、ＢＣＩの精度はコードブックのサイズによって制限されるが、ＬＴＥ−Ａにおける送信は非コードブックベースとすることができる。
【００４５】
なお、特定のＲＥ（リソース要素）に対して、送信ポイントにおけるアンテナアレイにＢＣＩが適用される場合、ユーザ機器は、その特定のＲＥにおけるチャネル行列が乗算された対応するＢＣＩを測定することができる。上記手順は、参照信号およびアンテナポートの設計において使用されるアンテナ仮想化に類似している。したがって、本実施形態では、特定のＲＳ（参照信号）ポートが、対象のユーザ機器ではなく、ペアである可能性のあるユーザ機器（不要信号）に関連付けられていることを、ユーザ機器に指示することを提案する。例えば、ＣＳＩ−ＲＳ（チャネル状態インジケータ−参照信号）ポートまたはＤＭＲＳ（復調用参照信号）ポートが、ペアである可能性のあるユーザ機器に関連付けられる。
【００４６】
要約すると、本実施形態では、特定のリソースがユーザ機器４０１1を対象とする信号ではなく、不要信号に関連付けられていることを、送信ポイント４０２が対象のユーザ機器４０１1に通知することを開示する。例えば、送信ポイント４０２からユーザ機器４０１1に送信されるメッセージには、特定の参照信号ポートが不要信号に関連付けられていることを示す情報が含まれる。この場合、対象のユーザ機器４０１1の測定部６０３は、不要信号に関連付けられている参照信号ポートにおける信号電力を、対象のユーザ機器４０１1への干渉として測定する。また、対象のユーザ機器４０１1の処理部６０４は、その干渉に基づいてＭＵ−ＣＱＩを計算する。このようなシグナリングは、対象のユーザ機器４０１1および別のユーザ機器４０１2がペアである場合、すなわち、これらのユーザ機器が同じリソース上のデータを受信するようにスケジューリングされているときに、対象のユーザ機器４０１1のリンクアダプテーションがより正確に行われることに貢献する。
【００４７】
不要信号に関連付けられているリソースの割り当てに関する情報は、対象のユーザ機器４０１1にビットマップ方式で明示的にシグナリングすることができる。しかしながら、不要信号に関連付けられているリソースが、事前に定義された特定のパターンに従って割り当てられていることを、対象のユーザ機器４０１1に通知することも可能である。例えば、不要信号に関連付けられているリソースが、１つまたは複数のＣＳＩ−ＲＳポートに割り当てられていることがある。その場合、送信ポイント４０２は、単に、ＣＳＩ−ＲＳポートのインデックスを対象のユーザ機器４０１1に指示する。別の例においては、不要信号に関連付けられているリソースが、１つまたは複数のＤＭＲＳポートに割り当てられていることがある。その場合、送信ポイント４０２は、ＤＭＲＳポートのインデックスを対象のユーザ機器４０１1に指示する。ＬＴＥ−Ａのリリース１０においては、参照信号ポート７〜１４がＤＭＲＳポートとして割り当てられており、参照信号ポート１５〜２２がＣＳＩ−ＲＳポートとして割り当てられている。
【００４８】
ＤＭＲＳポートの場合には、本実施形態の１つの例によると、ＰＤＳＣＨ信号が第１のＤＭＲＳポートに関連付けられており、不要信号が第２のＤＭＲＳポートに関連付けられている場合、対象のユーザ機器４０１1は、第１のＤＭＲＳポートにおける信号電力を信号として測定し、第２のＤＭＲＳポートにおける信号電力を干渉として測定する。具体的には、不要信号がＤＭＲＳポート８に関連付けられており、ＰＤＳＣＨ信号がＤＭＲＳポート７に関連付けられている場合、対象のユーザ機器４０１1は、ＤＭＲＳポート７における測定値に基づいて信号電力Ｓを計算し、ＤＭＲＳポート８における測定値に基づいて干渉Ｉを計算した後、次の等式に基づいてＭＵ−ＣＱＩを計算することができる。
ＳＮＲ＝Ｓ／（Ｉ＋Ｎ）
【００４９】
式中、Ｓは信号を表し、Ｎは雑音を表す。送信ポイント４０２は、ペアである可能性のあるユーザ機器４０１2のプリコーディングベクトルをＤＭＲＳポート８に適用することができる。したがって、対象のユーザ機器４０１1は、変調・符号化方式を予測するとき、ペアである可能性のあるユーザ機器４０１2による干渉電力を正確に認識することができ、リンクアダプテーションの精度を高めることができる。上記のＤＭＲＳポートの場合、本実施形態の別の例によると、信号電力ＳをＣＳＩ−ＲＳポート１５〜１８に基づいて計算することができる（フィードバックの目的）。
【００５０】
ＣＳＩ−ＲＳポートの場合、本実施形態の別の例によると、ＰＤＳＣＨ信号のチャネルがＣＳＩ−ＲＳポート１５〜１８（４ＴｘＣＳＩ−ＲＳポート）を通じて推定される場合、ＣＳＩ−ＲＳポート１５〜１８がＰＤＳＣＨ送信に関連付けられており、ＣＳＩ−ＲＳポート１９が不要信号に関連付けられており、ＣＳＩ−ＲＳポート２０〜２２の送信電力がゼロであることを、送信ポイント４０２が対象のユーザ機器４０１1にシグナリングすることが可能である。この場合、対象のユーザ機器４０１1の測定部６０３は、ＣＳＩ−ＲＳポート１９における測定値に基づいて干渉電力Ｉを計算し、ＣＳＩ−ＲＳポート１５〜１８における測定値に基づいて信号電力Ｓを計算し、次の等式に基づいてＭＵ−ＣＱＩを計算することができる。
ＳＮＲ＝Ｓ／（Ｉ＋Ｎ）
【００５１】
式中、Ｓは信号を表し、Ｎは雑音を表す。送信ポイント４０２は、ペアである可能性のあるユーザ機器４０１2のプリコーディングベクトルをＣＳＩ−ＲＳポート１９に適用することができる。
【００５２】
本実施形態の更なる例によると、ＰＤＳＣＨ信号のチャネルがＣＳＩ−ＲＳポート１５〜１８（４ＴｘＣＳＩ−ＲＳポート）を通じて推定される場合、次のように設定することが可能である。すなわち、予め定義されたサブフレームのサブセットにおけるＣＳＩ−ＲＳポート１５〜１８がＰＤＳＣＨ送信に関連付けられており、サブフレームの別のサブセットにおけるＣＳＩ−ＲＳポート１５〜１８（またはポート１５）が不要信号に関連付けられる。なお、これらのサブフレームは時間領域において連続する一連の時間・周波数リソースである。この場合、対象のユーザ機器４０１1の測定部６０３は、サブフレームの第２のサブセットにおけるＣＳＩ−ＲＳポート１５〜１８（またはポート１５）に基づいて干渉電力Ｉを計算し、次の等式に基づいてＭＵ−ＣＱＩを計算することができる。
ＳＮＲ＝Ｓ／（Ｉ＋Ｎ）
【００５３】
式中、Ｓは信号を表し、Ｎは雑音を表す。送信ポイント４０２は、ペアである可能性のあるユーザ機器４０１2のプリコーディングベクトルをサブフレームの第２のサブセットにおけるＣＳＩ−ＲＳポート１５〜１８（またはポート１５）に適用することができる。
【００５４】
この第４の実施形態では、動的なＭＵ動作が可能であり、わずかな下りリンクのオーバーヘッドによってリンクアダプテーション性能が向上する。さらに、精度はコードブックのサイズによって制限されない。
【００５５】
（第５の実施形態）
上記第４の実施形態では、ＭＵ−ＭＩＭＯ動作の状況について説明した。本開示は、ＭＵ−ＭＩＭＯ動作に適用可能であるのみならず、複数の送信ポイントが協働する場合にも有用である。マルチポイント送信の場合、サービング送信ポイント以外の送信ポイントから、不要信号が送信されることがある。
【００５６】
図７は、本開示による、複数の送信ポイントを含む通信システムを示す。
【００５７】
図７において、通信システム７００は、複数の送信ポイントを含むことができるが、２基の送信ポイント７０１，７０２のみを示す。図７に示すように、送信ポイント７０１は、サービング送信ポイントであると想定し、他方の送信ポイント７０２は、干渉する送信ポイントであると想定する。マルチポイント送信の場合、対象のユーザ機器７０３への干渉は、サービング送信ポイント７０１におけるペアである可能性のあるユーザ機器からではなく、干渉する送信ポイント７０２からの信号である。サービング送信ポイント７０１および干渉する送信ポイント７０２は、同じセルＩＤまたは異なるセルＩＤを有することができる。サービング送信ポイント７０１は対象のユーザ機器７０３に信号を送信し、干渉する送信ポイント７０２は不要信号（干渉）をユーザ機器７０３に送信する。この場合、通信システム７００は、複数の干渉する送信ポイント７０２を含むことができる。この場合、送信ポイント７０１，７０２は、送信ポイント５００と同じ構成を採ることができ、ユーザ機器７０３はユーザ機器６００と同じ構成を採ることができる。
【００５８】
例えば、干渉する送信ポイント７０２およびサービング送信ポイント７０１が同じセルＩＤを有し、１つの参照信号ポートのみが不要信号に関連付けられているものと想定する。ＰＤＳＣＨ信号のチャネルがＣＳＩ−ＲＳポート１５〜１８（すなわち４ＴｘＣＳＩ−ＲＳポート）を通じて推定される場合、ＣＳＩ−ＲＳポート１９が対象のユーザ機器７０３に対する不要信号に関連付けられていることを、サービング送信ポイント７０１が対象のユーザ機器７０３にシグナリングすることが可能である。対象のユーザ機器７０３は、ＣＳＩ−ＲＳポート１５〜１８に基づいてＣＱＩ／ＰＭＩをサービング送信ポイント７０１に報告する。その一方で、ＣＳＩ−ＲＳポート１９における信号は不要信号であり、干渉する送信ポイント７０２からの信号である。この場合、対象のユーザ機器７０３の測定部６０３は、ＣＳＩ−ＲＳポート１９における信号電力を干渉Ｉとして測定し、対象のユーザ機器７０３の処理部６０４は、上述したように干渉Ｉに基づいてＭＵ−ＣＱＩを計算する。さらに、対象のユーザ機器７０３は、ＣＳＩ−ＲＳポート１９に基づいて測定された干渉電力を考慮したＭＵ−ＣＱＩをサービング送信ポイント７０１に報告することができる。この場合、干渉する送信ポイント７０２は、ペアである可能性のあるユーザ機器（図示していない）のプリコーディングベクトルをＣＳＩ−ＲＳポート１９に適用することができる。すなわち、サービング送信ポイント７０１および干渉する送信ポイント７０２が同じセルＩＤを有し、かつ１つの信号ポートのみが不要信号に関連付けられている場合、対象のユーザ機器７０３は、その１つの参照信号ポートにおける信号電力を干渉として測定し、その干渉に基づいてＭＵ−ＣＱＩを計算して報告する。
【００５９】
別の例においては、干渉する送信ポイント７０２およびサービング送信ポイント７０１が異なるセルＩＤを有し、かつ１つの信号ポートのみが不要信号に関連付けられているものと想定する。ＰＤＳＣＨ信号のチャネルがＣＳＩ−ＲＳポート１５〜１８（すなわち４ＴｘＣＳＩ−ＲＳポート）を通じて推定される場合、ＣＳＩ−ＲＳポート１９が不要信号に関連付けられていることを、サービング送信ポイント７０１が対象のユーザ機器７０３にシグナリングすることが可能である。対象のユーザ機器７０３は、ＣＳＩ−ＲＳポート１５〜１８に基づいてＣＱＩ／ＰＭＩをサービング送信ポイント７０１に報告する。その一方で、ＣＳＩ−ＲＳポート１９における信号は、不要信号であり、干渉する送信ポイント７０２からの信号である。この場合、対象のユーザ機器７０３の測定部６０３は、ＣＳＩ−ＲＳポート１９における信号電力を干渉Ｉとして測定し、対象のユーザ機器７０３の処理部６０４は、上述したように干渉Ｉに基づいてＭＵ−ＣＱＩを計算する。さらに、対象のユーザ機器７０３は、ＣＳＩ−ＲＳポート１９に基づいて測定された干渉電力を考慮したＭＵ−ＣＱＩをサービング送信ポイント７０１に報告することができる。この場合、干渉する送信ポイント７０２は、干渉している可能性のあるユーザ機器（図示せず）のプリコーディングベクトルをＣＳＩ−ＲＳポート１９に適用することができる。本実施形態の１つの例によると、干渉は、サービング送信ポイント７０１における別のユーザ機器からではなく、干渉する送信ポイント７０２からであり、ＣＳＩ−ＲＳポート１９のスクランブリングは、干渉する送信ポイント７０２のセルＩＤではなくサービング送信ポイント７０１のセルＩＤに基づくことができる。あるいは、ＣＳＩ−ＲＳポート１９のスクランブリングは、サービング送信ポイント７０１のセルＩＤではなく干渉する送信ポイント７０２のセルＩＤに基づくことができる。いずれの場合も、送信ポイント７０１，７０２の一方または両方が、ＣＳＩ−ＲＳポート１９（不要信号）に関連付けられているセルＩＤを、対象のユーザ機器７０３にさらに指示する。この場合、ＣＳＩ−ＲＳポート１９に関連付けられているセルＩＤを使用して、ＣＳＩ−ＲＳポート１９における信号をデスクランブルすることができる。また、それと同時に、ＣＳＩ−ＲＳポートとセルＩＤとの関連付けをシグナリングすることによって、ＣＳＩ−ＲＳポート１９およびＣＲＳポート０〜３における干渉電力を重複してカウントすることを回避することができる。すなわち、サービング送信ポイント７０１および干渉する送信ポイント７０２が異なるセルＩＤを有し、１つの参照信号ポートのみが不要信号に関連付けられている場合、サービング送信ポイント７０１は、不要信号に関連付けられている参照信号ポートに対応するセルＩＤを、対象のユーザ機器７０３に指示し、対象のユーザ機器７０３は、その１つの信号ポートにおける信号電力を干渉として測定し、その干渉に基づいてＭＵ−ＣＱＩを計算して報告する。
【００６０】
さらなる例においては、干渉する送信ポイント７０２およびサービング送信ポイント７０１が同じセルＩＤを有するが、少なくとも２つの参照信号ポートが不要信号に関連付けられているものと想定する。ＰＤＳＣＨ信号のチャネルがＣＳＩ−ＲＳポート１５〜１８（すなわち４ＴｘＣＳＩ−ＲＳポート）を通じて推定される場合、ＣＳＩ−ＲＳポート１９〜２２のうちの少なくとも２つのポートが対象のユーザ機器７０３にとって不要信号に関連付けられていることを、サービング送信ポイント７０１が対象のユーザ機器７０３にシグナリングすることが可能である。対象のユーザ機器７０３は、ＣＳＩ−ＲＳポート１５〜１８に基づいてＣＱＩ／ＰＭＩをサービング送信ポイント７０１に報告する。その一方で、ＣＳＩ−ＲＳポート１９〜２２のうちの少なくとも２つのポートにおける信号は、不要信号であり、干渉する送信ポイント７０２からの信号である。この場合、対象のユーザ機器７０３の測定部６０３は、ペアである可能性のあるユーザ機器（図示せず）によって使用されるＢＣＩとして、発生する干渉が最小であるＢＣＩを、ＣＳＩ−ＲＳポート１９〜２２のうちの少なくとも２つのポートに基づいて推定する。また、対象のユーザ機器７０３の処理部６０４は、そのＢＣＩに基づいてＭＵ−ＣＱＩを計算し、対象のユーザ機器７０３の送信部６０６は、ＢＣＩと、最小の干渉に起因するＭＵ−ＣＱＩの劣化を、サービング送信ポイント７０１にさらに報告する。すなわち、サービング送信ポイント７０１および干渉する送信ポイント７０２が同じセルＩＤを有し、２つ以上の参照信号ポートが不要信号に関連付けられている場合、対象のユーザ機器７０３の測定部６０３は、対象のユーザ機器７０３への干渉が最小であるＢＣＩを推定し、対象のユーザ機器７０３の処理部６０４は、そのＢＣＩに基づいてＭＵ−ＣＱＩを計算し、対象のユーザ機器７０３の送信部６０６は、ＢＣＩおよびＭＵ−ＣＱＩをサービング送信ポイントにさらに報告する。
【００６１】
さらに別の例においては、干渉する送信ポイント７０２およびサービング送信ポイント７０１が異なるセルＩＤを有するが、少なくとも２つの信号ポートが不要信号に関連付けられているものと想定する。ＰＤＳＣＨ信号のチャネルがＣＳＩ−ＲＳポート１５〜１８（すなわち４ＴｘＣＳＩ−ＲＳポート）を通じて推定される場合、ＣＳＩ−ＲＳポート１９〜２２のうちの少なくとも２つが不要信号に関連付けられていることを、サービング送信ポイント７０１が対象のユーザ機器７０３にシグナリングすることが可能である。対象のユーザ機器７０３は、ＣＳＩ−ＲＳポート１５〜１８に基づいてＣＱＩ／ＰＭＩをサービング送信ポイント７０１に報告する。その一方で、ＣＳＩ−ＲＳポート１９〜２２のうちの少なくとも２つのポートにおける信号は、不要信号であり、干渉する送信ポイント７０２からの信号である。この場合、対象のユーザ機器７０３の測定部６０３は、ペアである可能性のあるユーザ機器（図示せず）によって使用されるＢＣＩとして、発生する干渉が最小であるＢＣＩを、ＣＳＩ−ＲＳポート１９〜２２のうちの少なくとも２つのポートに基づいて推定する。また、対象のユーザ機器７０３の処理部６０４は、そのＢＣＩに基づいてＭＵ−ＣＱＩを計算し、対象のユーザ機器７０３の送信部６０６は、発生する干渉が最小であるＢＣＩと、最小の干渉に起因するＭＵ−ＣＱＩの劣化とを、サービング送信ポイント７０１にさらに報告する。
【００６２】
本実施形態の１つの例によると、干渉は、サービング送信ポイント７０１における別のユーザ機器からではなく、干渉する送信ポイント７０２からのものであるが、ＣＳＩ−ＲＳポート１９〜２２のうちの少なくとも２つのポートのスクランブリングは、干渉する送信ポイント７０２のセルＩＤではなく、サービング送信ポイント７０１のセルＩＤに基づくことができる。あるいは、ＣＳＩ−ＲＳポート１９〜２２のうちの少なくとも２つのポートのスクランブリングは、サービング送信ポイント７０１のセルＩＤではなく、干渉する送信ポイント７０２のセルＩＤに基づくことができる。いずれの場合も、送信ポイント７０１，７０２の一方または両方が、ＣＳＩ−ＲＳポート１９〜２２（不要信号）に関連付けられているセルＩＤを、対象のユーザ機器７０３にさらに指示することができる。この場合、ＣＳＩ−ＲＳポート１９〜２２のうちの少なくとも２つのポートに関連付けられているセルＩＤを使用して、ＣＳＩ−ＲＳポート１９〜２２のうちの少なくとも２つのポートにおける信号をデスクランブルすることができる。それと同時に、ＣＳＩ−ＲＳポート１９〜２２のうちの少なくとも２つのポートにおける干渉電力を重複してカウントすることを回避することができる。すなわち、サービング送信ポイント７０１および干渉する送信ポイント７０２が異なるセルＩＤを有し、２つ以上の信号ポートが不要信号に関連付けられている場合、対象のユーザ機器７０３は、発生する干渉が最小であるＢＣＩを、ＣＳＩ−ＲＳポート１９〜２２のうちの少なくとも２つのポートに基づいて推定し、そのＢＣＩに基づいてＭＵ−ＣＱＩを計算し、ＢＣＩおよびＭＵ−ＣＱＩをサービング送信ポイント７０１にさらに報告する。また、送信ポイント７０１，７０２のいずれかが、不要信号に関連付けられているセルＩＤを対象のユーザ機器７０３に指示する。
【００６３】
複数のポートが不要信号に関連付けられている場合として、以下の２つのケースが存在する。
【００６４】
ケース１：すべてのポートが１つの干渉する送信ポイントに関連付けられている。例えば、ＣＳＩ−ＲＳポート１９〜２２が１つの干渉する送信ポイントから送信され、ＣＳＩ−ＲＳポート１９〜２２のスクランブリングが、サービング送信ポイントのセルＩＤまたは干渉する送信ポイントのセルＩＤのいずれかに従う。この場合、対象のユーザ機器は、ＣＳＩ−ＲＳポート１９〜２２に基づいて、発生する干渉が最小であるＢＣＩを報告し、干渉に起因するＭＵ−ＣＱＩの劣化をさらに報告する。干渉電力を重複してカウントすることを回避するため、送信ポイントは、ＣＳＩ−ＲＳポート１９〜２２に関連付けられるセルＩＤを対象のユーザ機器にさらに指示する。
【００６５】
ケース２：ポート１９〜２２が、それぞれ、複数の干渉する送信ポイントに関連付けられている。具体的には、ＣＳＩ−ＲＳポート１９〜２２は、それぞれ、複数の干渉する送信ポイントから送信され、ＣＳＩ−ＲＳポート１９〜２２のスクランブリングは、サービング送信ポイントのセルＩＤか、または、（１つまたは複数の）干渉する送信ポイントのうちの１つの干渉する送信ポイントのセルＩＤ、のいずれかに従う。この場合、対象のユーザ機器は、ＣＳＩ−ＲＳポート１９〜２２のそれぞれにおける信号電力を干渉として測定し、これらの干渉それぞれに基づいてＭＵ−ＣＱＩを計算し、複数の干渉する送信ポイントそれぞれからの干渉に起因するＭＵ−ＣＱＩの劣化を報告する。別の例として、対象のユーザ機器は、ＣＳＩ−ＲＳポート１９〜２２すべてにおける全体の信号電力を干渉として測定し、その全体の干渉に基づいてＭＵ−ＣＱＩを計算し、複数の干渉する送信ポイントすべてからの干渉に起因するＭＵ−ＣＱＩの劣化を、サービング送信ポイントに報告する。干渉電力を重複してカウントすることを回避するため、送信ポイントは、ＣＳＩ−ＲＳポート１９〜２２に関連付けられるセルＩＤをユーザ機器にさらに指示する。
【００６６】
本開示によると、動的なＭＵ動作が可能であり、わずかな下りリンクのオーバーヘッドによってリンクアダプテーション性能が向上する。さらに、精度はコードブックのサイズによって制限されない。
【００６７】
（第６の実施形態）
図８は、本開示による、通信システムにおいてＭＵ−ＣＱＩを送信ポイントにフィードバックする方法を示すフロー図である。
【００６８】
図８に示したように、送信ポイントおよび複数のユーザ機器を含む通信システムにおいてチャネル品質インジケータ（ＭＵ−ＣＱＩ）を送信ポイントにフィードバックする方法は、ステップ８０１〜ステップ８０３を含んでいる。ステップ８０１において、送信ポイントは、複数のユーザ機器のうちの対象のユーザ機器にメッセージを送信する。ステップ８０２において、対象のユーザ機器は、メッセージに基づいてＭＵ−ＣＱＩを計算する。ステップ８０３において、対象のユーザ機器は、ＭＵ−ＣＱＩを送信ポイントにフィードバックする。
【００６９】
上記方法において、メッセージは、複数のユーザ機器のうち、対象のユーザ機器とペアである可能性のある別のユーザ機器によって使用されるプリコーディング行列インデックス（ＢＣＩ）を含むことができる。
【００７０】
上記方法においては、本方法は、対象のユーザ機器が下りリンクチャネルを測定し、測定された下りリンクチャネルに、送信ポイントから送られたＢＣＩを乗じて、対象のユーザ機器への干渉を得るステップと、対象のユーザ機器が、その干渉に基づいてＭＵ−ＣＱＩを計算するステップと、をさらに含む。
【００７１】
上記方法において、対象のユーザ機器は、等式：ＳＮＲ＝Ｓ／（Ｉ＋Ｎ）に基づいて、ＭＵ−ＣＱＩを計算する。この式において、Ｓは信号を表し、Ｎは雑音を表し、Ｉは干渉を表す。Ｉは、ＨＷの情報に基づいて計算することができ、Ｈは下りリンクチャネル行列を表し、Ｗ→はＢＣＩを表す。
【００７２】
上記方法において、メッセージは、少なくとも１つの信号ポートが不要信号に関連付けられていることを示す情報を含むことができる。
【００７３】
上記方法において、対象のユーザ機器は、少なくとも１つの信号ポートにおける信号電力を、対象のユーザ機器への干渉として測定し、この干渉に基づいてＭＵ−ＣＱＩを計算する。
【００７４】
上記方法において、信号ポート７〜１４はＤＭＲＳポートとして割り当てられ、信号ポート１５〜２２はＣＳＩ−ＲＳポートとして割り当てられる。
【００７５】
上記方法において、通信システムは、サービング送信ポイントと少なくとも１つの干渉する送信ポイントとから構成される複数の送信ポイントを含み、不要信号は、少なくとも１つの干渉する送信ポイントからの信号である。
【００７６】
上記方法において、サービング送信ポイントおよび少なくとも１つの干渉する送信ポイントは、同じセルＩＤまたは異なるセルＩＤを有する。
【００７７】
上記方法において、１つの参照信号ポートが不要信号に関連付けられている場合、対象のユーザ機器は、その１つの信号ポートにおける信号電力を干渉として測定し、その干渉に基づいてＭＵ−ＣＱＩを計算して報告する。
【００７８】
上記方法において、２つ以上の信号ポートが、不要信号に関連付けられており、かつ１つの干渉する送信ポイントから送信される場合、対象のユーザ機器は、対象のユーザ機器への最小の干渉を引き起こすＢＣＩを推定し、そのＢＣＩに基づいてＭＵ−ＣＱＩを計算し、さらにＢＣＩおよびＭＵ−ＣＱＩをサービング送信ポイントに報告する。
【００７９】
上記方法において、２つ以上の信号ポートが、不要信号に関連付けられており、かつ、それぞれが、異なる干渉する送信ポイントから送信される場合、対象のユーザ機器は、信号ポートそれぞれにおける信号電力を干渉として測定し、これらの干渉それぞれに基づいてＭＵ−ＣＱＩを計算して報告する。
【００８０】
上記方法において、２つ以上の信号ポートが、不要信号に関連付けられており、かつ、それぞれが、異なる干渉する送信ポイントから送信される場合、対象のユーザ機器は、すべての信号ポートにおける全体の信号電力を干渉として測定し、その干渉に基づいてＭＵ−ＣＱＩを計算して報告する。
【００８１】
上記方法において、サービング送信ポイントおよび干渉する送信ポイントが異なるセルＩＤを有する場合、サービング送信ポイントは、さらに、不要信号に関連付けられているセルＩＤを対象のユーザ機器に指示する。
【００８２】
本開示による方法の各ステップは、ユーザ機器６００の受信部６０２、測定部６０３、処理部６０４、および送信部６０６のそれぞれによって、もしくは、送信ポイント装置５００の受信部５０２および送信部５０５のそれぞれによって、またはその両方によって、実行することができる。
【００８３】
本開示によると、動的なＭＵ動作が可能であり、わずかな下りリンクのオーバーヘッドによってリンクアダプテーション性能が向上する。さらに、精度はコードブックのサイズによって制限されない。
【００８４】
本開示の上記の実施形態は、例示的な説明にすぎず、その特定の構造および動作は、本開示の範囲を制限するものではない。当業者には、上記の各実施形態における異なる部分および動作を組み合わせて、同様に本開示の概念に合致する新規の実施形態を創案することができるであろう。
【００８５】
本開示の実施形態は、ハードウェア、ソフトウェア、およびファームウェアによって、またはこれらの組合せにおいて実施することができ、実施形態を実施する方法は、本開示の範囲を制限するものではない。
【００８６】
本開示の実施形態における各機能要素（構成部）の間の接続関係は、本開示の範囲を制限するものではなく、１つまたは複数の機能要素または構成部は、任意の別の機能要素を含んでいる、または任意の別の機能要素に接続することができる。
【００８７】
ここまで、本開示のいくつかの実施形態について、添付の図面と組み合わせて図示および説明してきたが、当業者には、本開示の請求項の範囲およびその等価形態の範囲内である、実施形態の変形形態および修正形態を、本開示の原理および概念から逸脱することなく創案できることを理解されたい。
【図１】
0005942208.tif 000002
【図２】
0005942208.tif 000003
【図３】
0005942208.tif 000004
【図４】
0005942208.tif 000005
【図５】
0005942208.tif 000006
【図６】
0005942208.tif 000007
【図７】
0005942208.tif 000008
【図８】
0005942208.tif 000009